(57)【要約】【課題】カテゴリーを区別して撮影せずとも、カテゴリー別のプリントを容易に作成することができるようにする。【解決手段】本発明に係る見本写真プリント作成システム１００によれば、スキャナ１により、ネガフィルムからコマ画像情報を読み取り、インデックスプリント情報生成装置３により、コマ画像情報に、各コマ画像に対するカテゴリー、カテゴリー別の文字入れ内容、見本プリントサイズ、注文プリントサイズ等を記入するための記入欄を表示するための記入欄情報を付加して印刷可能なインデックスプリント情報を作成し、このインデックスプリント情報に基づいて印刷装置４によりインデックスプリントを出力する。見本写真プリント情報生成装置は、インデックスプリントに記入された情報に基づいてカテゴリー別の見本写真プリント情報を生成し、印刷装置４により見本写真プリントを出力する。【選択図】  図２
2005017923.tif 000002
【特許請求の範囲】
【請求項１】
異なる複数のカテゴリーの被写体が撮影されたフィルムからコマ画像を読み取る読取装置と、
前記読取装置により読み取られたコマ画像を配置し、当該コマ画像毎に対応付けて当該コマ画像のカテゴリーを記入するためのカテゴリー記入欄情報を付加して印刷可能なインデックスプリント情報を生成するインデックスプリント情報生成装置と、
前記生成されたインデックスプリント情報に基づいて、インデックスプリントを印刷する印刷装置と、を備えたことを特徴とするインデックスプリント作成システム。
【請求項２】
前記カテゴリー記入欄情報は、複数のカテゴリー項目の中から択一的に選択可能な領域に区分された表示情報であることを特徴とする請求項１に記載のインデックスプリント作成システム。
【請求項３】
前記インデックスプリント情報生成装置は、前記インデックスプリント情報に含まれる複数のカテゴリー項目を設定する設定手段を備えたことを特徴とする請求項２に記載のインデックスプリント作成システム。
【請求項４】
前記インデックスプリント情報は、前記カテゴリー別のプリントサイズを記入するための記入欄情報を含むことを特徴とする請求項１に記載のインデックスプリント作成システム。
【請求項５】
前記インデックスプリント情報は、前記カテゴリー別に仕上がりプリントに挿入する文字内容を記入するための記入欄情報を含むことを特徴とする請求項１又は４に記載のインデックスプリント作成システム。
【請求項６】
前記インデックスプリント情報生成装置は、前記インデックスプリント情報を電子情報として記録媒体に記録する記録部を備えたことを特徴とする請求項１〜５の何れか一項に記載のインデックスプリント作成システム。
【請求項７】
前記インデックスプリント情報の記入欄情報を非接触で電子情報の読み書きが可能な記録媒体に書き込む情報書込み装置を備え、
前記情報書込み装置により前記記入欄情報の書き込まれた前記記録媒体を前記印刷装置から出力されたインデックスプリント上に貼付することを特徴とする請求項１〜５の何れか一項に記載のインデックスプリント作成システム。
【請求項８】
請求項１〜７の何れか一項に記載のインデックスプリント作成システムと、
前記インデックスプリント作成システムにより作成されたインデックスプリントに記入された情報に基づいて、前記コマ画像をカテゴリー別に分類し、同一のカテゴリーのコマ画像を配置して合成することにより見本写真プリント情報を生成する見本写真プリント情報生成装置を備え、
前記印刷装置により前記見本写真プリント情報に基づいて見本写真プリントを印刷することを特徴とする見本写真プリント作成システム。
【請求項９】
異なる複数のカテゴリーの被写体を撮影して得られた複数のコマ画像が印刷され、
当該コマ画像毎に対応付けて当該コマ画像のカテゴリーを記入するためのカテゴリー記入欄が設けられていることを特徴とするインデックスプリント。
【請求項１０】
前記カテゴリー記入欄は、複数のカテゴリー項目の中から択一的に選択可能な領域に区分された表示であることを特徴とする請求項９に記載のインデックスプリント。
【請求項１１】
前記カテゴリー別のプリントサイズを記入するための記入欄が設けられていることを特徴とする請求項９又は１０に記載のインデックスプリント。
【請求項１２】
前記カテゴリー別に仕上がりプリントに挿入する文字内容を記入するための記入欄が設けられていることを特徴とする請求項９〜１１の何れか一項に記載のインデックスプリント。
【請求項１３】
前記記入欄の情報が記録された非接触で電子情報の読み書きが可能な記録媒体が添付されていることを特徴とする請求項９〜１２の何れか一項に記載のインデックスプリント。
【発明の詳細な説明】
【０００１】
【発明の属する技術分野】
本発明は、学校写真等の団体写真の見本写真プリントを作成するためのインデックスプリント作成システム、見本写真プリント作成システム及びインデックスプリントに関する。
【０００２】
【従来の技術】
従来、撮影業者が団体等の催す行事に出向いて撮影を行う出張撮影サービスが行われている。一例として、学校行事を撮影する学校写真サービスが挙げられる。出張撮影サービスにおいては、団体の全員を被写体として撮影する集合写真、グループ単位を被写体として撮影するグループ写真、個人を被写体として撮影するスナップ写真等、様々なカテゴリーの被写体の撮影が行われる。これらのカテゴリー毎に仕上がりプリントのプリントサイズや挿入する文字等は異なる。そのため、従来、カテゴリーを識別するために、カテゴリー毎にカメラを別にして撮影が行われ、撮影業者が写真現像所（以下、ラボと称する）にフィルムを渡して団体展示用の見本写真プリントを注文する際に、フィルム毎に仕上がりプリントサイズや挿入する文字等を指定していた。
【０００３】
一方、近年、フィルムに記録された画像を一覧表示したインデックスプリントが再プリントの注文や撮影画像の確認等に利用されている。例えば、特許文献１には、フィルム１本分の画像を１枚のシートにインデックスプリントとして記録するインデックスプリンタが記載されている。
【０００４】
【特許文献１】
特開平８−１５２７０４号公報
【０００５】
【発明が解決しようとする課題】
しかしながら、出張撮影サービスにおいて、撮影するカテゴリー毎にカメラを換えることは、撮影業者にとって非常に不便であった。また、フィルムの画像が一覧表示されたインデックスプリントは、見本写真プリントを注文、作成する過程において、特に実用的な利用はなされていなかった。
【０００６】
本発明の課題は、カテゴリーを区別して撮影せずとも、カテゴリー別のプリントを容易に作成することができるようにすることである。
【０００７】
【課題を解決するための手段】
上記課題を解決するため、請求項１に記載の発明のインデックスプリント作成システムは、
異なる複数のカテゴリーの被写体が撮影されたフィルムからコマ画像を読み取る読取装置と、
前記読取装置により読み取られたコマ画像を配置し、当該コマ画像毎に対応付けて当該コマ画像のカテゴリーを記入するためのカテゴリー記入欄情報を付加して印刷可能なインデックスプリント情報を生成するインデックスプリント情報生成装置と、
前記生成されたインデックスプリント情報に基づいて、インデックスプリントを印刷する印刷装置と、を備えたことを特徴としている。
【０００８】
請求項１に記載の発明によれば、異なる複数のカテゴリーの被写体が撮影されたフィルムからコマ画像を読み取り、読み取られたコマ画像を配置し、コマ画像毎に対応付けてコマ画像のカテゴリーを記入するためのカテゴリー記入欄情報を付加して印刷可能なインデックスプリント情報を生成し、生成されたインデックスプリント情報に基づいて、インデックスプリントを印刷する。従って、各コマ画像のカテゴリーを分類することを可能とするインデックスプリントを作成するので、従来のようにカテゴリー別にフィルムを取り替えて撮影しなくても、インデックスプリントに記入された情報に基づいてカテゴリー別のプリントを容易に作成することができるようになり、撮影時の不便さを解消することができる。
【０００９】
請求項２に記載の発明は、請求項１に記載の発明において、
前記カテゴリー記入欄情報は、複数のカテゴリー項目の中から択一的に選択可能な領域に区分された表示情報であることを特徴としている。
【００１０】
請求項２に記載の発明によれば、コマ画像に応じたカテゴリーを複数のカテゴリー項目の中から選択することができるインデックスプリントを提供することができるので、カテゴリーの記入が容易となる。
【００１１】
請求項３に記載の発明は、請求項２に記載の発明において、
前記インデックスプリント情報生成装置は、前記インデックスプリント情報に含まれる複数のカテゴリー項目を設定する設定手段を備えたことを特徴としている。
【００１２】
請求項３に記載の発明によれば、インデックスプリントに印刷されるカテゴリーの項目を設定することができるので、撮影に応じたカテゴリーをインデックスプリントに表示させることができる。
【００１３】
請求項４に記載の発明は、請求項１に記載の発明において、
前記インデックスプリント情報は、前記カテゴリー別のプリントサイズを記入するための記入欄情報を含むことを特徴としている。
【００１４】
請求項４に記載の発明によれば、プリント作成に必要なカテゴリー別のプリントサイズの記入欄をインデックスプリントに表示させることができるので、インデックスプリントに基づいてプリントを作成する際により効率的なプリント作成ができるようになる。
【００１５】
請求項５に記載の発明は、請求項１又は４に記載の発明において、
前記インデックスプリント情報は、前記カテゴリー別に仕上がりプリントに挿入する文字内容を記入するための記入欄情報を含むことを特徴としている。
【００１６】
請求項５に記載の発明によれば、プリント作成に必要なカテゴリー別に仕上がりプリントに挿入する文字内容を記入するための記入欄をインデックスプリントに表示させることができるので、インデックスプリントに基づいてプリントを作成する際により効率的なプリント作成ができるようになる。
【００１７】
請求項６に記載の発明は、請求項１〜５の何れか一項に記載の発明において、前記インデックスプリント情報生成装置は、前記インデックスプリント情報を電子情報として記録媒体に記録する記録部を備えたことを特徴としている。
【００１８】
請求項６に記載の発明によれば、インデックスプリント情報を電子情報として記録媒体に記録することができるので、効率的にカテゴリー等の記入を行うことができる。
【００１９】
請求項７に記載の発明は、請求項１〜５の何れか一項に記載の発明において、前記インデックスプリント情報の記入欄情報を非接触で電子情報の読み書きが可能な記録媒体に書き込む情報書込み装置を備え、
前記情報書込み装置により前記記入欄情報の書き込まれた前記記録媒体を前記印刷装置から出力されたインデックスプリント上に貼付することを特徴としている。
【００２０】
請求項７に記載の発明によれば、インデックスプリント上に、記入欄情報の書き込まれた非接触で電子情報の読み書きが可能な記録媒体を貼付するので、カテゴリー等の記入をこの記録媒体に対して行うことにより、記入された情報を利用しやすくすることができる。
【００２１】
請求項８に記載の発明の見本写真プリント作成システムは、
請求項１〜７の何れか一項に記載のインデックスプリント作成システムと、
前記インデックスプリント作成システムにより作成されたインデックスプリントに記入された情報に基づいて、前記コマ画像をカテゴリー別に分類し、同一のカテゴリーのコマ画像を配置して合成することにより見本写真プリント情報を生成する見本写真プリント情報生成装置を備え、
前記印刷装置により前記見本写真プリント情報に基づいて見本写真プリントを印刷することを特徴としている。
【００２２】
請求項８に記載の発明によれば、インデックスプリントに記入された情報に基づいて、コマ画像をカテゴリー別に分類し、同一のカテゴリーのコマ画像を配置して合成することにより見本写真プリント情報を生成し、見本写真プリント情報に基づいて見本写真プリントを印刷する。従って、従来のようにカテゴリー別にフィルムを取り替えて撮影しなくても、インデックスプリントに記入された情報に基づいて、カテゴリー別の見本写真プリントを容易に作成することができるようになり、撮影時の不便さを解消することができる。
【００２３】
請求項９に記載の発明のインデックスプリントは、
異なる複数のカテゴリーの被写体を撮影して得られた複数のコマ画像が印刷され、
前記コマ画像に対応付けて当該コマ画像毎に当該コマ画像のカテゴリーを記入するためのカテゴリー記入欄が設けられていることを特徴としている。
【００２４】
請求項９に記載の発明によれば、各コマ画像のカテゴリーをこのインデックスプリントに記入することで、各コマ画像のカテゴリーを分類することが可能となるので、従来のようにカテゴリー別にフィルムを取り替えて撮影しなくても、カテゴリー別のプリントを容易に作成することができるようになり、撮影時の不便さを解消することができる。
【００２５】
請求項１０に記載の発明は、請求項９に記載の発明において、
前記カテゴリー記入欄は、複数のカテゴリー項目の中から択一的に選択可能な領域に区分された表示であることを特徴としている。
【００２６】
請求項１０に記載の発明によれば、コマ画像に応じたカテゴリーを複数のカテゴリー項目の中から選択することができるので、カテゴリーの記入が容易となる。
【００２７】
請求項１１に記載の発明は、請求項９又は１０に記載の発明において、
前記カテゴリー別のプリントサイズを記入するための記入欄が設けられていることを特徴としている。
【００２８】
請求項１１に記載の発明によれば、カテゴリー別のプリントサイズを記入することができるので、インデックスプリントに記入された情報に基づいてプリントを作成することで効率的なプリント作成ができるようになる。
【００２９】
請求項１２に記載の発明は、請求項９〜１１の何れか一項に記載の発明において、
前記カテゴリー別に仕上がりプリントに挿入する文字内容を記入するための記入欄が設けられていることを特徴としている。
【００３０】
請求項１２に記載の発明によれば、カテゴリー別に仕上がりプリントに挿入する文字内容を記入することができるので、インデックスプリントに記入された情報に基づいてプリントを作成することで効率的なプリント作成ができるようになる。
【００３１】
請求項１３に記載の発明は、請求項９〜１２の何れか一項に記載の発明において、
前記記入欄の情報が記録された非接触で電子情報の読み書きが可能な記録媒体が添付されていることを特徴としている。
【００３２】
請求項１３に記載の発明によれば、インデックスプリント上に、記入欄情報の書き込まれた非接触で電子情報の読み書きが可能な記録媒体を貼付するので、カテゴリー等の記入をこの記録媒体に対して行うことにより、記入された情報を利用しやすくすることができる。
【００３３】
【発明の実施の形態】
以下、図を参照して、本発明の実施の形態を詳細に説明する。
まず、図１を参照して、本発明を利用した場合の、学校写真サービスにおける撮影〜プリント配布までの工程の概略を説明する。
【００３４】
まず、撮影業者により学校行事等における出張撮影が行われる（ステップＳ１）。学校行事において撮影する写真は、例えば、クラス全員を撮影する集合写真、班毎に撮影するグループ写真、個人向けのスナップ写真等、いくつかのカテゴリーの被写体を撮影した写真が含まれる。このカテゴリーは、仕上がりプリントのプリントサイズやプリントに挿入する文字に反映されるものであるが、撮影時には、撮影する被写体のカテゴリーに関わらず、同一のカメラで撮影を行うことができる。
【００３５】
撮影後、撮影業者は、ラボに、撮影されたネガフィルムの見本写真プリントを学校単位で注文する（ステップＳ２）。ラボは、各コマ画像毎に写真番号が付された見本写真プリント用インデックスプリント（図４参照：以下、インデックスプリントと称する）を作成し、撮影業者に納入する（ステップＳ３）。撮影業者は、納入されたインデックスプリントを用いて、コマ画像毎にカテゴリーをチェックすることによりカテゴリー識別情報を記入するとともに、カテゴリー別のプリント挿入文字（文字入れ内容）、見本写真プリント及び注文プリントのプリントサイズを指定された記入欄に記入する（ステップＳ４）。
【００３６】
ラボは、撮影業者によりカテゴリー識別情報等の必要事項が記入されたインデックスプリントを受領すると、インデックスプリントに基づいて見本写真プリントを作成し、撮影業者に納入する（ステップＳ５）。撮影業者は、見本写真プリントを受領し（ステップＳ６）、学校へ納品し、学校において、見本写真プリントが展示される（ステップＳ７）。
【００３７】
学校において、生徒はこの見本写真プリントの写真番号に基づいて注文を行う（ステップＳ８）。生徒からの注文は、学校から撮影業者を介してラボに注文され（ステップＳ９）、ラボにおいて注文に基づいてプリントが作成され（ステップＳ１０）、撮影業者を介して学校に納品され（ステップＳ１１）、生徒に配布される（ステップＳ１２）。
【００３８】
次に、本発明の構成について説明する。
図２に、上述した撮影〜プリント配布までの工程において、インデックスプリント及び見本写真プリントを作成するためにラボに設置された見本写真プリント作成システム１００の全体構成を示す。見本写真プリント作成システム１００は、図２に示すように、画像サーバ２、インデックスプリント情報生成装置３、印刷装置４、受付装置５、見本写真プリント情報生成装置６がネットワークＮを介して相互にデータの送受信が可能なように接続され、画像サーバ２にスキャナ１が接続されて構成されている。なお、この見本写真プリント作成システム１００は、インデックスプリント作成システムとしての構成を含んでいる。
【００３９】
読取装置としてのスキャナ１は、透過原稿スキャナであり、光源、ＣＣＤ（Ｃｈａｒｇｅｄ  Ｃｏｕｐｌｅｄ  Ｄｅｖｉｃｅ）、Ａ／Ｄコンバータ等により構成される。スキャナ１は、光源からネガフィルム等の原稿へ照明走査した光の透過光をＣＣＤにより結像して光電変換することにより原稿の画像を読み取り、読み取った画像をＡ／Ｄコンバータによりデジタルの画像情報に変換し、画像サーバ２へ出力する。
【００４０】
画像サーバ２は、装置全体を制御するＣＰＵ（Ｃｅｎｔｒａｌ  Ｐｒｏｃｅｓｓｉｎｇ  Ｕｎｉｔ）、情報を一時的に格納するＲＡＭ（Ｒａｎｄｏｍ  Ａｃｃｅｓｓ  Ｕｎｉｔ）、各種データ及びプログラムを記憶する記憶部、ネットワークＮに接続された機器との通信を行う通信部等により構成され、画像情報を格納する画像ＤＢ２ａが接続されている。画像サーバ２は、スキャナ１から入力されたコマ画像情報に、各コマ画像情報を識別するための写真番号を撮影コマ順に付し、各行事を識別するための識別番号（フォルダ番号）を付したフォルダを作成し、画像ＤＢ２ａに格納する。
【００４１】
インデックスプリント情報生成装置３は、装置全体を制御するＣＰＵ、情報を一時的に格納するＲＡＭ、インデックスプリント情報生成のための各種記入欄情報のテンプレートを始めとする各種データ及びプログラムを記憶する記憶部、キーボード、マウス等の、各種操作信号を入力するための操作部、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等の、各種情報を表示するための表示部、ネットワークＮに接続された機器との通信を行う通信部等により構成されている。
【００４２】
インデックスプリント情報生成装置３のＣＰＵは、記憶部に格納されているシステムプログラムや各種処理プログラムを読み出し、ＲＡＭ内のプログラム格納領域に展開し、展開したプログラムに従ってインデックスプリント情報生成装置３の各部の動作を集中制御する。また、ＣＰＵは、通信部により受付装置５から受付情報を受信すると、展開されたプログラムに従って、ネットワークＮを介して画像ＤＢ２ａに格納されている当該受付情報に対応するフォルダからコマ画像情報を読み出し、操作部からの入力に基づいてコマ画像毎にインデックスプリントに表示するカテゴリー項目を設定し、読み出されたコマ画像、設定されたカテゴリー項目及び各種記入欄情報のテンプレートに基づいてインデックスプリント情報を生成して印刷装置４へ出力する。
【００４３】
印刷装置４は、ネットワークＮを介してインデックスプリント情報生成装置３、見本写真プリント情報生成装置６から入力された画像データを、電子写真方式やインクジェット方式等の印刷方式で印刷用紙にプリントして出力する。
【００４４】
受付装置５は、装置全体を制御するＣＰＵ、情報を一時的に格納するＲＡＭ、各種データ及びプログラムを記憶する記憶部、キーボード、マウス等の、各種操作信号を入力するための操作部、ＣＲＴ、ＬＣＤ等の、各種情報を表示する表示部、ネットワークＮに接続された機器との通信を行う通信部等により構成されている。
【００４５】
受付装置５のＣＰＵは、記憶部に格納されているシステムプログラムや各種処理プログラムを読み出し、ＲＡＭ内のプログラム格納領域に展開し、展開したプログラムに従って受付装置５の各部の動作を集中制御する。また、ＣＰＵは、操作部を介して撮影業者名、学校名、行事名、画像サーバ２におけるフォルダ番号が入力されると、記憶部から読み出されたプログラムに従って、受付番号を発行して１つのオーダーとして登録し、受付番号と入力された情報を対応付けて受付情報として受付ＤＢ５ａに格納するとともに、これらの受付情報を、通信部によりネットワークＮを介してインデックスプリント情報生成装置３へ送信する。また、操作部により、インデックスプリントに記入された情報に基づいて、カテゴリー別の文字入れ内容、プリントサイズ等が入力されると、入力された情報を受付番号に対応付けて受付ＤＢ５ａに格納するとともに、ネットワークＮを介して見本写真プリント情報生成装置６へ送信する。
【００４６】
見本写真プリント情報生成装置６は、装置全体を制御するＣＰＵ、情報を一時的に格納するＲＡＭ、各種データ及びプログラムを記憶する記憶部、キーボード、マウス等の、各種操作信号を入力するための操作部、ＣＲＴ、ＬＣＤ等の、各種情報を表示するための表示部、ネットワークＮに接続された機器との通信を行う通信部、バーコードの情報を読み取るバーコードリーダ等により構成されている。
【００４７】
見本写真プリント情報生成装置６のＣＰＵは、記憶部に格納されているシステムプログラムや各種処理プログラムを読み出し、ＲＡＭ内のプログラム格納領域に展開し、展開したプログラムに従って見本写真プリント情報生成装置６の各部の動作を集中制御する。また、ＣＰＵは、記憶部から読み出されたプログラムに従って、通信部により受付装置５から受信された受付情報に対して、画像サーバ２の画像ＤＢ２ａの当該受付に対応するフォルダに格納されている一連のコマ画像情報を読み出して、表示部の表示画面上に、色、濃度補正、トリミング補正、文字入れ方向等の指示情報及びカテゴリー識別情報を入力するためのモニタジャッジ画面を表示させる。そして、モニタジャッジ画面における操作部からの入力に基づいて、色、濃度補正、トリミング補正、文字入れ等の各種画像処理を行うとともに、入力された各コマ画像のカテゴリー識別情報に基づいて、カテゴリー別に複数のコマ画像を配置して合成することとにより見本写真プリント情報を生成し、ネットワークＮを介して印刷装置４へ出力する。
【００４８】
ネットワークＮは、専用線や既存の一般公衆回線を利用して構築された通信ネットワークであり、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等の様々な回線形態を適用することが可能である。ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。但し、情報管理の信頼性の観点から、特定のユーザのみがアクセス可能なセキュリティを確保しているネットワークであることが望ましい。各装置、端末間は有線接続であっても無線接続であってもよい。
【００４９】
次に、見本写真プリント作成システム１００の動作について説明する。
図３に、見本写真プリント作成システム１００により実行される見本写真プリント作成処理を示す。
【００５０】
まず、撮影業者から受領したネガフィルムは現像機で現像され、現像されたネガフィルムがスキャナ１により行事別に読み取られ、コマ画像情報が取得される（ステップＳ２１）。取得されたコマ画像情報は、画像サーバ２により、画像ＤＢ２ａに、行事別にユニークなフォルダ番号が付されたフォルダが生成されて格納され、保存される（ステップＳ２２）。
【００５１】
次いで、受付装置５において、撮影業者名、学校名、行事名、画像サーバ２におけるフォルダ番号等の受付情報が入力されると、この入力された受付情報に対する受付番号が発行され、受付番号と受付情報が対応付けられて受付ＤＢ５ａに格納されるとともに、ネットワークＮを介してインデックスプリント情報生成装置３へ出力される（ステップＳ２３）。なお、学校名、行事名は、ステップＳ２７において登録するようにしてもよい。
【００５２】
インデックスプリント情報生成装置３において、受付装置５から受付情報が受信されると、ネットワークＮを介して、画像ＤＢ２ａに格納されている当該受付情報に対応するフォルダからコマ画像情報が読み出され、設定手段として、表示画面上に各コマ画像のカテゴリー項目設定画面が表示され、この設定画面からの入力に応じてインデックスプリントに表示するカテゴリー項目が設定される（ステップＳ２４）。次いで、インデックスプリント情報生成装置３において、設定された項目に基づいてインデックスプリント情報が生成され、印刷装置４へ出力される（ステップＳ２５）。
【００５３】
インデックスプリント情報の生成は、例えば、インデックスプリント情報生成装置３において、撮影コマ順（写真番号順）に写真番号の付されたコマ画像を配置し、記憶部に記憶された各種記入欄情報のテンプレートに基づいて、各コマ画像に対応付けてコマ画像毎に設定されたカテゴリー項目の中から択一的にカテゴリーが選択可能な領域に区分された表示情報であるカテゴリー記入欄情報を付加するとともに、カテゴリー別プリントサイズの記入欄情報、文字入れ内容の記入欄情報、受付情報表示欄情報、受付番号及びインデックスプリントのページ番号を示すバーコードの表示情報を付加して合成することにより、印刷可能なインデックスプリント情報が生成される。カテゴリー項目としては、「集合」、「スナップ」、「グループ」等のカテゴリーの他、不要を示す「ＮＧ」や、他の風景等の予め用意された画像と置き換えることを示す「欠番」等が含まれる。印刷装置４においては、インデックスプリント情報生成装置３からインデックスプリント情報が受信されると、受信されたインデックスプリント情報に基づいてインデックスプリントが印刷出力される（ステップＳ２６）。
【００５４】
図４に、ステップＳ２６で印刷装置４から出力されるインデックスプリント４１の一例を示す。図４に示すように、インデックスプリント４１は、用紙に、受付番号、業者名、学校名、行事名等の受付情報、受付番号及びインデックスプリントのページ番号を示すバーコードが表示される受付情報エリア４１ａと、写真番号順に、複数（ここでは４２枚）のコマ画像が表示され、コマ画像毎に対応付けて各コマ画像のカテゴリーを記入するためのカテゴリー記入欄が表示されているカテゴリー記入エリア４１ｂと、カテゴリー別のプリントサイズを記入するための記入欄が表示されているプリントサイズ記入エリア４１ｃと、カテゴリー別に仕上がりプリントに挿入する文字を記入するための記入欄が表示されているカテゴリー別文字入れ内容記入エリア４１ｄ等が設けられている。カテゴリー記入欄は、複数のカテゴリー項目の中から択一的に選択可能な領域に区分された表示であり、この区分領域をチェックすることで、カテゴリーを識別することができる。
【００５５】
このインデックスプリント４１は撮影業者へ納入され、撮影業者により各コマ画像の確認が行われ、カテゴリー記入エリア４１ｂ、カテゴリー別プリントサイズ記入エリア４１ｃ、カテゴリー別文字入れ内容記入エリア４１ｄ等が記入される。
【００５６】
図３に戻り、撮影業者から必要事項が入力されたインデックスプリントが返却されると、受付装置５において、受付番号を含むバーコードが読み取られ、インデックスプリントの内容に基づいて、各受付に対するカテゴリー別文字入れ内容、カテゴリー別のプリントサイズが入力され、見本写真プリントの受付が登録されると、受付ＤＢ５ａに、入力された情報が受付番号と対応付けて記憶されるとともに、ネットワークＮを介して見本写真プリント情報生成装置６へこれらの情報が出力される（ステップＳ２７）。
【００５７】
見本写真プリント情報生成装置６においては、見本写真プリントが受付登録されたコマ画像情報がネットワークＮを介して画像サーバ２の画像ＤＢ２ａから読み出され、表示部の表示画面上に、各コマ画像の色、濃度補正、トリミング補正、文字入れ方向等の指示情報及びカテゴリー識別情報を入力するためのモニタジャッジ画面が表示される（ステップＳ２８）。このモニタジャッジ画面から各コマ画像の画像処理条件が入力されると、この指示に応じて各コマ画像情報に画像処理が施され（ステップＳ２９）、インデックスプリントの記入内容に基づいてカテゴリー識別情報が入力されると（ステップＳ３０）、入力されたカテゴリー識別情報に基づいて、カテゴリー別に、指定されたプリントサイズで複数のコマ画像を配置して合成することにより見本写真プリント情報が生成され（ステップＳ３１）、ネットワークＮを介して印刷装置４へ出力される。印刷装置４においては、受信された見本写真プリント情報に基づいて、見本写真プリントが印刷出力される（ステップＳ３２）。
【００５８】
図５に、ステップＳ２８において、見本写真プリント情報生成装置６の表示画面上に表示されるモニタジャッジ画面６１の一例を示す。図５に示すように、モニタジャッジ画面６１には、コマ画像毎に、画像表示エリア６１ａ、写真番号表示エリア６１ｂ、画像処理情報表示エリア６１ｃ、カテゴリー識別情報入力エリア６１ｄ、文字入れ方向指定エリア６１ｅ−１〜６１ｅ−４が表示されている。
画像表示エリア６１ａ上からは、マウス等の操作によりトリミング位置の指定を行うことができるようになっている。また、カテゴリーとして「欠番」が選択された場合には、「欠番」のコマ画像の画像表示エリア６１ａを選択して「画像呼出」ボタン６１ｇが押下されると、予め設定された欠番用の画像情報の選択画面が表示される。この選択画面から画像情報が選択されると、欠番の画像情報が選択された画像データに置き換えられる。
【００５９】
モニタジャッジ画面６１の下部には、画像処理条件設定エリア６１ｆが設けられており、コマ画像を指定してボタン操作することにより、指定されたコマ画像の濃度補正を行うことができる。また、写真番号が操作され、数値ボタン６１ｈが操作されると、操作に応じて写真番号が変更して表示され、写真番号を変更することができる。
【００６０】
以上説明したように、見本写真プリント作成システム１００によれば、ネガフィルムからコマ画像情報を読み取り、各コマ画像に対するカテゴリー、カテゴリー別の文字入れ内容、見本プリントサイズ、注文プリントサイズ等を記入するためのインデックスプリントを作成し、撮影業者からインデックスプリントに記入された情報に基づいてカテゴリー別の見本写真プリントを作成する。
【００６１】
従って、見本写真プリント作成システム１００により作成されたインデックスプリントを用いることにより、異なるカテゴリーの撮影を同一のネガフィルムで撮影しても、カテゴリー別の見本写真プリントを容易に作成することができるので、従来のように、カテゴリー別にフィルムを取り替えて撮影するという撮影時の不便さを解消することができる。また、見本写真プリント作成システム１００において、インデックスプリントに表示するカテゴリー項目を設定することができるので、客先に応じたカテゴリー別の見本写真プリントを容易に作成することができる。
【００６２】
なお、上記実施の形態における記述内容は、本発明に係る見本写真プリント作成システム１００の好適な一例であり、これに限定されるものではない。
例えば、図６に示すように、受付装置５が、非接触で電子情報の読み書きが可能な記録媒体であるＩＣタグ７へのデータの書込みやＩＣタグ７からのデータの読み込みを行う、情報書込み装置としてのリーダライタ５ｂを備える構成とし、受付番号及びインデックスプリントのページ数やカテゴリーチェック項目等各種記入欄の情報をＩＣタグ７に書込み、インデックスプリントに貼付するようにして撮影業者に納入するようにしてもよい。これにより、撮影業者がＩＣタグ７のリーダライタを備えたパソコンを有していれば、パソコンから、写真番号に応じてカテゴリー識別情報を始めとする各種情報をＩＣタグ７に入力することができる。この情報が入力されたＩＣタグ７を受付装置５のリーダライタ５ｂにより読み取り、見本写真プリント情報生成装置６に送信することにより、見本写真プリント情報生成装置６におけるカテゴリー識別情報等の入力操作の手間を省くことができる。
【００６３】
また、図７に示すように、インデックスプリント情報生成装置３がＣＤ−Ｒドライブ等、記録媒体に電子情報を記録する記録部３ａを備える構成とし、作成されたインデックスプリント用画像データをＣＤ−Ｒ等の記録媒体に記録するようにしてもよい。この記録媒体を撮影業者に納品し、撮影業者からカテゴリー識別情報等をデータで受取り、受付装置５が備えるＣＤ−Ｒドライブ等の読み出し部５ｃから読み取り、ネットワークＮを介して見本写真プリント情報生成装置６に送信することにより、見本写真プリント情報生成装置６におけるカテゴリー識別情報等の入力操作の手間を省くことができる。
【００６４】
また、図８に示すように、見本写真プリント情報生成装置６がインデックスプリントに記入されたコマ画像毎のカテゴリー識別情報を読み取る専用のカード式リーダ６ａを備える構成とし、このカード式リーダでコマ画像毎のカテゴリー識別情報等を自動読み取りするようにしてもよい。
【００６５】
その他、見本写真プリント作成システム１００を構成する各装置の細部構成及び細部動作に関しても、本発明の趣旨を逸脱することのない範囲で適宜変更可能である。
【００６６】
【発明の効果】
請求項１に記載の発明によれば、異なる複数のカテゴリーの被写体が撮影されたフィルムからコマ画像を読み取り、読み取られたコマ画像を配置し、当該コマ画像毎に対応付けて当該コマ画像のカテゴリーを記入するためのカテゴリー記入欄情報を付加して印刷可能なインデックスプリント情報を生成し、生成されたインデックスプリント情報に基づいて、インデックスプリントを印刷する。従って、各コマ画像のカテゴリーを分類することを可能とするインデックスプリントを作成するので、従来のようにカテゴリー別にフィルムを取り替えて撮影しなくても、インデックスプリントに記入された情報に基づいてカテゴリー別のプリントを容易に作成することができるようになり、撮影時の不便さを解消することができる。
【００６７】
請求項２に記載の発明によれば、コマ画像に応じたカテゴリーを複数のカテゴリー項目の中から選択することができるインデックスプリントを提供するので、カテゴリーの記入が容易となる。
【００６８】
請求項３に記載の発明によれば、インデックスプリントに印刷されるカテゴリーの項目を設定することができるので、撮影に応じたカテゴリーをインデックスプリントに表示させることができる。
【００６９】
請求項４に記載の発明によれば、プリント作成に必要なカテゴリー別のプリントサイズの記入欄をインデックスプリントに表示させることができるので、インデックスプリントに基づいてプリントを作成する際により効率的なプリント作成ができるようになる。
【００７０】
請求項５に記載の発明によれば、プリント作成に必要なカテゴリー別に仕上がりプリントに挿入する文字内容を記入するための記入欄をインデックスプリントに表示させることができるので、インデックスプリントに基づいてプリントを作成する際により効率的なプリント作成ができるようになる。
【００７１】
請求項６に記載の発明によれば、インデックスプリント情報を電子情報として記録媒体に記録することができるので、効率的にカテゴリー等の記入を行うことができる。
【００７２】
請求項７に記載の発明によれば、インデックスプリント上に、記入欄情報の書き込まれた非接触で電子情報の読み書きが可能な記録媒体を貼付するので、カテゴリー等の記入をこの記録媒体に対して行うことにより、記入された情報を利用しやすくすることができる。
【００７３】
請求項８に記載の発明によれば、インデックスプリントに記入された情報に基づいて、コマ画像をカテゴリー別に分類し、同一のカテゴリーのコマ画像を配置して合成することにより見本写真プリント情報を生成し、見本写真プリント情報に基づいて見本写真プリントを印刷する。従って、従来のようにカテゴリー別にフィルムを取り替えて撮影しなくても、インデックスプリントに記入された情報に基づいて、カテゴリー別の見本写真プリントを容易に作成することができるようになり、撮影時の不便さを解消することができる。
【００７４】
請求項９に記載の発明によれば、各コマ画像のカテゴリーをこのインデックスプリントに記入することで、各コマ画像のカテゴリーを分類することが可能となるので、従来のようにカテゴリー別にフィルムを取り替えて撮影しなくても、カテゴリー別のプリントを容易に作成することができるようになり、撮影時の不便さを解消することができる。
【００７５】
請求項１０に記載の発明によれば、コマ画像に応じたカテゴリーを複数のカテゴリー項目の中から選択することができるので、カテゴリーの記入が容易となる。
【００７６】
請求項１１に記載の発明によれば、カテゴリー別のプリントサイズを記入することができるので、インデックスプリントに記入された情報に基づいてプリントを作成することで効率的なプリント作成ができるようになる。
【００７７】
請求項１２に記載の発明によれば、カテゴリー別に仕上がりプリントに挿入する文字内容を記入することができるので、インデックスプリントに記入された情報に基づいてプリントを作成することで効率的なプリント作成ができるようになる。
【００７８】
請求項１３に記載の発明によれば、インデックスプリント上に、記入欄情報の書き込まれた非接触で電子情報の読み書きが可能な記録媒体を貼付するので、カテゴリー等の記入をこの記録媒体に対して行うことにより、記入された情報を利用しやすくすることができる。
【図面の簡単な説明】
【図１】本発明を利用した場合の、学校写真サービスにおける撮影〜プリント配布までの工程の概略を示す図である。
【図２】本発明に係る見本写真プリント作成システム１００の全体構成を示す図である。
【図３】図２の見本写真プリント作成システム１００により実行される見本写真プリント作成処理を示すフローチャートである。
【図４】図３のステップＳ２６で印刷装置４により出力されるインデックスプリント４１の一例を示す図である。
【図５】図３のステップＳ２８で見本写真プリント情報生成装置６の表示画面上に表示されるモニタジャッジ画面６１の一例を示す図である。
【図６】図２の見本写真プリント作成システム１００の他の実施形態を示す図である。
【図７】図２の見本写真プリント作成システム１００の他の実施形態を示す図である。
【図８】図２の見本写真プリント作成システム１００の他の実施形態を示す図である。
【符号の説明】
１    スキャナ
２    画像サーバ
２ａ    画像ＤＢ
３    インデックスプリント情報生成装置
３ａ    記録部
４    印刷装置
５    受付装置
５ａ    受付ＤＢ
５ｂ    リーダライタ
５ｃ    読み出し部
６    見本写真プリント情報生成装置
６ａ    カード式リーダ
７    ＩＣタグ
１００    見本写真プリント生成システム
【図１】
2005017923.tif 000003
【図２】
2005017923.tif 000004
【図３】
2005017923.tif 000005
【図４】
2005017923.tif 000006
【図５】
2005017923.tif 000007
【図６】
2005017923.tif 000008
【図７】
2005017923.tif 000009
【図８】
2005017923.tif 000010